(57)【要約】      （修正有）【課題】膝から踵方向に足が地面を押す力に対する地面からの反力を効率的に活用するスポーツシューズを提供する。【解決手段】ソール１と、前記ソール１の上側に設けられたアッパー３とを有するスポーツシューズＳであって、ソール１の足裏当接面は、踵に接する部位が、拇指球に接する部位より高く、スポーツシューズ１の側面視において、アッパーの後端面とソール踵部の後端面との接合点Ａと、前足部におけるソール上部周縁部の最下点Ｂを通る水平方向の直線Ｌ１とつま先最前点Ｃを通る鉛直線Ｌ２との交点Ｄとを結ぶ直線Ｌ３と、前記直線Ｌ１とのなす角度θが５度以上であることを特徴とする。【選択図】図３
2020199110.tif 000002
【特許請求の範囲】
【請求項１】
ソールと、前記ソールの上側に設けられたアッパーとを有するスポーツシューズであって、ソールの足裏当接面は、踵に接する部位が、拇指球に接する部位より高く、スポーツシューズの側面視において、アッパーの後端面とソール踵部の後端面との接合点Ａと、前足部におけるソール上部周縁部の最下点Ｂを通る水平方向の直線Ｌ１とつま先最前点Ｃを通る鉛直線Ｌ２との交点Ｄとを結ぶ直線Ｌ３と、前記直線Ｌ１とのなす角度θが５度以上であることを特徴とするスポーツシューズ。
【請求項２】
前記直線Ｌ１と前記直線Ｌ３とのなす角度θが１０度以上である請求項１に記載のスポーツシューズ
【請求項３】
前記直線Ｌ１と前記直線Ｌ３とのなす角度θが１５度以上である請求項１に記載のスポーツシューズ
【請求項４】
前記直線Ｌ１と前記直線Ｌ３とのなす角度θが２０度以上である請求項１に記載のスポーツシューズ。
【請求項５】
ソールの踵部の地面接地面は、アッパーの後端面より後方に延設されている請求項１〜４のいずれか一項に記載のスポーツシューズ。
【請求項６】
前記直線Ｌ３の点Ａを通る垂線Ｌ４と、接合点Ａと、ソールの地面接地面の後端縁である点Ｑとを通る直線Ｌ５とのなす角度φが５度以上である請求項５に記載のスポーツシューズ。
【請求項７】
前記垂線Ｌ４と前記直線Ｌ５とのなす角度φが１０度以上である請求項６に記載のスポーツシューズ。
【請求項８】
前記垂線Ｌ４と前記直線Ｌ５とのなす角度φが１５度以上である請求項６に記載のスポーツシューズ。
【請求項９】
前記アッパーには、着用者の足を挿入するための第１開口部と、前記第１開口部に連通して前後方向に延びる第２開口部が、第１開口部のつま先側に形成され、第２開口部の前側縁部には、第２開口部を開状態又は閉状態にするための舌片部が設けられている請求項１〜８のいずれか一項に記載のスポーツシューズ。
【請求項１０】
前記第１開口部に連通し前後方向に延びる第３開口部が、第１開口部の踵側に形成され、第３開口部の後側縁部には、第３開口部を開状態又は閉状態にするための舌片部が設けられている請求項９に記載のスポーツシューズ。
【請求項１１】
前記ソールの中足部には、アーチ状の空隙が設けられている請求項１〜１０のいずれか一項に記載のスポーツシューズ。
【請求項１２】
前記ソールの地面接地面にスパイクが設けられている請求項１〜１１のいずれか一項に記載のスポーツシューズ。
【発明の詳細な説明】
【技術分野】
【０００１】
本発明は、スポーツシューズに関するものである。
【背景技術】
【０００２】
例えば、特許文献１には、スポーツ用シューズのソール構造体であって、当該ソール構造体の少なくとも踵部位に設けられ、踵周縁部に波形状を有するとともに、前記波形状の振幅が踵周縁側に向かうにしたがい大きくなっているウェーブプレートと、前記ウェーブプレートの下面において前記踵周縁部に沿って配置され、その上面が前記ウェーブプレートの前記下面に固着された、弾性部材製の複数の柱部材とを備え、前記柱部材の前記上面は、踵周縁側に向かうにしたがい下面からの高さが低くなる傾斜面を有している、ことを特徴とするスポーツ用シューズのソール構造体が開示されている。
【先行技術文献】
【特許文献】
【０００３】
【特許文献１】特開２００９−１１８９３６号公報
【発明の概要】
【発明が解決しようとする課題】
【０００４】
図９は、スポーツ用シューズの側面図である。歩行または走行するときの推進力Ｆは、足が地面を押す力Ｐの反力として得られる。推進力Ｆは、地面に対して所定角度αの方向であり、水平方向と鉛直方向の成分に分解される。推進力Ｆの水平方向の成分が、前進する力となり、歩行または走行のスピードに寄与する。しかしながら、従来のスポーツシューズは、所定角度αの角度が十分ではなく、膝から踵方向に足が地面を押す力に対する地面からの反力を十分に活用できていないという問題があった。
【０００５】
本発明は、上記事情に鑑みてなされたものであり、膝から踵方向に足が地面を押す力に対する地面からの反力を効率的に活用するスポーツシューズを提供することを目的とする。
【課題を解決するための手段】
【０００６】
本発明のスポーツシューズは、ソールと、前記ソールの上側に設けられたアッパーとを有するスポーツシューズであって、ソールの足裏当接面は、踵に接する部位が、拇指球に接する部位より高く、スポーツシューズの側面視において、アッパーの後端面とソール踵部の後端面との接合点Ａと、前足部におけるソール上部周縁部の最下点Ｂを通る水平方向の直線Ｌ１とつま先最前点Ｃを通る鉛直線Ｌ２との交点Ｄとを結ぶ直線Ｌ３と、前記直線Ｌ１とのなす角度θが５度以上であることを特徴とする。
【０００７】
ソールの足裏当接面が、踵に接する部位が拇指球に接する部位より高くなれば、推進力Ｆの水平方向の分解成分が大きくなる。その結果、歩行や走行のスピードが高くなる。
【発明の効果】
【０００８】
本発明によれば、膝から踵方向に足が地面を押す力に対する地面からの反力を推進方向に効率的に活用できるスポーツシューズを適用できる。
【図面の簡単な説明】
【０００９】
【図１】本発明のスポーツシューズの好ましい態様を側面からみた斜視図。
【図２】本発明のスポーツシューズのソールを説明する説明図。
【図３】本発明のスポーツシューズの別の好ましい態様を説明する説明図。
【図４】本発明のスポーツシューズの別の好ましい態様を説明する説明図。
【図５】本発明のスポーツシューズの別の好ましい態様を説明する説明図。
【図６】本発明のスポーツシューズの別の好ましい態様を説明する説明図。
【図７】本発明のスポーツシューズの別の好ましい態様を説明する説明図。
【図８】本発明のスポーツシューズの別の好ましい態様を説明する説明図。
【図９】スポーツシューズにおける推進力を説明する説明図。
【発明を実施するための形態】
【００１０】
本発明のスポーツシューズは、ソールと、前記ソールの上側に設けられたアッパーとを有するスポーツシューズであって、ソールの足裏当接面は、踵に接する部位が、拇指球に接する部位より高く、スポーツシューズの側面視において、アッパーの後端面とソール踵部の後端面との接合点Ａと、前足部におけるソール上部周縁部の最下点Ｂを通る水平方向の直線Ｌ１とつま先最前点Ｃを通る鉛直線Ｌ２との交点Ｄとを結ぶ直線Ｌ３と、前記直線Ｌ１とのなす角度θが５度以上であることを特徴とする。
【００１１】
以下、本発明の実施形態について図面を参照しながら説明するが、本発明は、図面に示された態様に限定されるものではない。本発明において、スポーツシューズのつま先側を前側とし、踵側を後側とし、つま先と踵とを結ぶ方向を前後方向とする。前後方向と水平方向に直交する方向を幅方向とする。また、スポーツシューズの親指側を内側とし、小指側を外側とする。
【００１２】
図１は、本発明のスポーツシューズの一態様の側面図である。本発明のスポーツシューズＳは、ソール１と、前記ソール１の上側に設けられたアッパー３とを有する。
【００１３】
前記アッパー３は、つま先側から踵側に向かって、前足部ＵＦと中足部ＵＭと後足部ＵＨとを有する。アッパー３の前足部ＵＦと中足部ＵＭと後足部ＵＨはそれぞれ、スポーツシューズを着用した者（以下「着用者」という）の足の前足部、中足部、後足部に対応する部分である。ソール１も同様に、つま先側から踵側に向かって前足部ＳＦと中足部ＳＭと踵部ＳＨとを有する。なお、本発明において、踵部ＳＨを後足部と称する場合がある。
【００１４】
アッパー３は、ソール１の上側に着用者の足を覆うように設けられている。アッパー３は、シューズの前足部から後足部までを覆うように形成されている。アッパー３の下部周縁部と、ソール１の上部周縁部とが、例えば、接着剤により固定されていることが好ましい。
【００１５】
アッパー３の素材としては、例えば、編物、織物、不織布、合成皮革、人工皮革、天然皮革などが適している。アッパー３としては、ポリエステル等の熱可塑性プラスチック材料からなる糸を経編により編まれた網目状のメッシュ生地が好適である。
【００１６】
アッパー３の上部には、着用者の足を挿入するための第１開口部１１が設けられている。また、この第１開口部に連通して前後方向に延びる第２開口部１３が形成されていることが好ましい。第２開口部１３には、ハトメ飾りが縫製等でアッパーの上部に固着されている。ハトメ飾りの左右縁部には、前後方向に間隔をあけて配置されたハトメ孔が貫通形成されていて、各ハトメ孔に靴紐が挿通されている。第２開口部の前側縁部には、第２開口部を開状態又は閉状態にするための舌片部が設けられている。靴紐を縛ることにより、足をシューズに十分固定することができる。
【００１７】
なお、シューズに足を固定する手段として、靴紐とハトメ孔を用いて説明しているが、これを面ファスナーを用いる固定手段に変更することも好ましい。
【００１８】
本発明のスポーツシューズは、ソール１を有する。図２（ａ）は、ソール１のみを内側からみた側面図であり、図２（ｂ）は、ソール１のみの平面図である。接合点Ａは、アッパーの後端面とソール踵部の後端面との接合する箇所であって、側面視におけるアッパー後端面の最後端点である。
【００１９】
本発明のスポーツシューズのソール１は、足裏当接面（ソール上面）５と地面接地面（ソール下面）７とを有する。前記足裏当接面５は、踵に接する部位５ｈが、拇指球に接する部位５ｆより高い。このような構造を採用することにより、推進力Ｆが地面となす角度αが小さくなる。その結果、前進する力（推進力Ｆの水平方向に分解する成分）がより大きくなり、歩行または走行のスピードが大きくなる。
【００２０】
踵に接する部位５ｈと拇指球に接する部位５ｆとの高さの差ｈは、１ｃｍ以上が好ましく、２ｃｍ以上がより好ましく、さらに３ｃｍ以上が好ましく、４ｃｍ以上がさらに好ましく、１２ｃｍ以下が好ましく、１０ｃｍ以下がより好ましい。踵に接する部位５ｈと拇指球に接する部位５ｆとの高さの差ｈを前記範囲とすることにより、膝から踵方向に足で地面を蹴る際の地面からの反力の推進方向に前進する力（推進力Ｆの水平方向に分解する成分）をより大きくでき、直立可能な状態を維持しやくなるからである。
【００２１】
足裏当接面５は、踵に接する部位が拇指球に接する部位より高くなる限り、適宜傾斜を設けることができる。例えば、つま先から踵後端に向かって漸次高くなるように傾斜する態様：前足部が略水平であり、中足部が、前方から後方へ向かって高くなるように傾斜し、後足部が略水平な態様、前足部において、つま先側が高く拇指球側を低くし、中足部から後足部後端に向かって高くなるように傾斜する態様、および、前足部において、つま先側が高く拇指球側を低くし、中足部が、前方から後方へ向かって高くなるように傾斜し、後足部が略水平な態様などを挙げることができる。
【００２２】
図３は、本発明のスポーツシューズの一態様を示す外側側面図である。本発明において、点Ａ〜点Ｄ、直線Ｌ１〜Ｌ３、角度θは、スポーツシューズの側面視（好ましくは外側側面図）において定義される。接合点Ａは、アッパー３の後端面９とソール踵部ＳＨの後端面とが接合する箇所である。点Ｂは、前足部におけるソールの上部周縁部の最下点Ｂである。最下点Ｂは、前足部においてアッパーの下部周縁部とソールの上部周縁部とが接合している点であって、地面までの距離が最も短い点である。直線Ｌ１は、最下点Ｂを通る水平方向の直線である。鉛直線Ｌ２は、つま先の最前点Ｃを通る鉛直方向の直線である。点Ｄは、直線Ｌ１と鉛直線Ｌ２との交点である。直線Ｌ１と鉛直線Ｌ２は、点Ｄにおいて直角に交わる。直線Ｌ３は、点Ａと点Ｄとを結ぶ直線である。
【００２３】
本発明のスポーツシューズは、直線Ｌ１と直線Ｌ３とのなす角度θが５度以上である。前記角度θは、１０度以上がより好ましく、１５度以上がさらに好ましく、さらに２０度以上がより好ましく、５０度以下が好ましく、４０度以下がより好ましい。点Ｂを通る水平方向の直線Ｌ１と、点Ａと点Ｄとを結ぶ直線Ｌ３とのなす角度θを前記範囲とすることにより、膝から踵方向に足で地面を蹴る際の地面からの反力の推進方向に前進する力（推進力Ｆの水平方向に分解する成分）をより大きくでき、直立可能な状態を維持できるからである。
【００２４】
本発明のスポーツシューズのソールは、弾性材料から形成されることが好ましい。ソールの踵部を弾性材料から形成し、ソールの母指球付近を衝撃吸収材料から形成してもよい。ソールは、単層構造であってもよいし、多層構造であってもよい。また、複数のパーツを組み合わせてもよい。
【００２５】
ソール１は、図４に示すように、ミッドソール１ａとミッドソール１ａの下側に設けられたアウトソール１ｂとを有することが好ましい。
【００２６】
アウトソール１ｂは、前足部から後足部に亘る範囲に設けられていてもよいし、前足部と後足部のみに設けられていてもよい。
【００２７】
アウトソール１ｂは、後述するミッドソールよりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。アウトソール１ｂの下面には、路面に接する接地面がそれぞれ形成されている。
【００２８】
ミッドソール１ａは、前足部から後足部までの足裏面を支持するように設けられていることが好ましい。このミッドソール１ａは、軟質の弾性材からなり、例えばエチレン−酢酸ビニル共重合体（ＥＶＡ）やポリプロピレン等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。ミッドソール１ａは、その下面が接着剤などによってアウトソール１ｂの上面に固定されている。
【００２９】
図５は、本発明のスポーツシューズの別の好ましい実施態様を示す側面図である。ソールの踵部の地面接地面７は、アッパーの後端面９より後方に延設されている。このように形成することにより、踵部で押す力の反力をより得やすくなる。
【００３０】
図５中、点Ａ〜点Ｄ，直線Ｌ１〜Ｌ３の定義は、図３で説明した定義と同一である。垂線Ｌ４は、点Ａを通る直線であり、点Ａと点Ｄとを通る直線Ｌ３に対して垂直である。点Ｑは、側面図におけるソールの地面接地面７の後端縁である。直線Ｌ５は、点Ａと点Ｑとを結ぶ直線である。点Ｐは、垂線Ｌ４とソールの地面接地面との交点である。点Ｔは、ソール踵部ＳＨの最後端点である。
【００３１】
ソール１の前足部の地面接地面７は、つま先側が地面から上方にむかって湾曲するようにしていてもよい。湾曲中心はソールの上側に存在する。ソール１の踵部ＳＨ（後足部）の地面接地面７は、後端縁Ｑまで地面に接触するように水平に形成されている。ソールの地面接地面７は、後端縁Ｑより後部がやや反り返るように形成されている。そのため、ソール踵部ＳＨの最後端点Ｔは地面と接していない。なお、最後端点Ｔと後端縁Ｑとが一致するように形成されてもよい。
【００３２】
本発明では、垂線Ｌ４と直線Ｌ５とのなす角度φが０度以上であることが好ましく、５度以上であることがより好ましく、さらに１０度以上であることが好ましく、１５度以上であることがさらに好ましく、４５度以下であることが好ましく、４０度以下であることがより好ましい。垂線Ｌ４と直線Ｌ５とのなす角度φが、前記範囲内であることにより、足が地面を押す力に対する反力が充分に得られることが可能となるからである。なお、垂線Ｌ４を基準（０度）として、点Ａを中心とし反時計回りの角度を正とし、時計回りの角度を負とする。
【００３３】
別の好ましい態様では、点Ａと点Ｄとを通る直線Ｌ３に対する点Ａを通る垂線Ｌ４と地面との交点Ｐより、ソールの地面接地面７の後端縁Ｑが後方であることが好ましい。具体的には、点Ｐと点Ｑとの水平距離ｘが、０ｃｍ以上が好ましく、１ｃｍ以上がより好ましく、２ｃｍ以上がさらに好ましく、１０ｃｍ以下が好ましく、８ｃｍ以下がより好ましい。
【００３４】
本発明のスポーツシューズには中敷きを入れても良く、母指球付近には前述の衝撃吸収性素材が配置されていることが好ましく、踵部付近には前述の弾性材料が配置されているものが好ましい。
【００３５】
図６は、本発明のスポーツシューズの別の変形例である。図６（ａ）は、側面図であり、図６（ｂ）は底面図である。ソールの中足部において、半円状のアーチ状の空隙１７が設けられている。アーチ状の空隙１７を設けることにより、着地時にアーチが歪むことで衝撃が緩和され、アーチの歪みが解除され元の形状に戻る力が、上方または前方への推進力になる。
【００３６】
アーチは中足部において、アーチの前方端縁１７ａと後方端縁１７ｂは、内側と外側とを結ぶ直線状に形成され、平行に配置することができる。
【００３７】
アーチ前方端縁１７ａと後方端縁１７ｂの距離ｙは２ｃｍ以上が好ましく、３ｃｍ以上がより好ましく、１６ｃｍ以下が好ましく、１４ｃｍ以下がより好ましい。
【００３８】
アーチ状の空隙１７の高さは、２ｃｍ以上が好ましく、３ｃｍ以上がより好ましく、１８ｃｍ以下が好ましく、１６ｃｍ以下がより好ましい。
【００３９】
ソールの中足部に半円状のアーチ状の空隙１７を設ける場合、後足部のソールの厚みは、２ｃｍ以上が好ましく、３ｃｍ以上がより好ましく、さらに４ｃｍ以上が好ましく、５ｃｍ以上がさらに好ましく、２０ｃｍ以下が好ましく、１９ｃｍ以下がより好ましい。また前足部のソールの厚みは、０．５ｃｍ以上が好ましく、１ｃｍ以上がより好ましく、１８ｃｍ以下が好ましく、１７ｃｍ以下がより好ましい。
【００４０】
アーチの強度を向上させるため、アーチ表面にはソールで使用した材料よりも強度の高い材料から形成される半円状の強化層を設けることも好ましい。前記強化層の厚みとしては、１ｍｍ以上が好ましく、２ｍｍ以上がより好ましく、５０ｍｍ以下が好ましく、４５ｍｍ以下がより好ましい。前記強化層の材料としては、強度の高い合成樹脂やその発泡体もしくは鉄、ステンレス、アルミニウムおよびそれらの合金などが挙げられる。
【００４１】
図７は、本発明のスポーツシューズの別の変形例である。図７（ａ）は、側面図であり、図７（ｂ）は、底面図である。ソールの前足部および後足部には、スパイク（ピン）１９が設けられている。スパイク（ピン）１９を設けることにより、ソールの地面接地面と地面との滑りが低減する。その結果、前に進む推進力がより大きくなる。スパイクの配置は、図７に示した態様では、ソールの前足部および後足部に、スパイク（ピン）１９が設けられているが、スパイク（ピン）１９は、ソールの前足部、中足部、踵部のいずれに配置されていてもよい。ソールの前足部、中足部、踵部のすべてに設けられていることも好ましい。
【００４２】
スパイクを付ける角度は、特に限定されないが、例えば、点ＡＤを結ぶ直線Ｌ３と点Ａで交わる垂線Ｌ４と平行が好ましい。
【００４３】
本態様は、陸上競技用として好適に使用することができる。陸上競技の種類に応じて、スパイクの長さ、配置、または、角度を変えることができる。
【００４４】
図８は、本発明のスポーツシューズの変形例である。アッパー３には、着用者の足を挿入するための第１開口部１１が設けられている。また、前記第１開口部に連通し前後方向に延びる第２開口部１３がつま先側に形成され、前記第１開口部に連通し前後方向に延びる第３開口部１５が踵側に形成されている。第２開口部１３の前側縁部には、第２開口部１３を開状態又は閉状態にするための舌片部が設けられている。第３開口部１５の後側縁部には、第３開口部１５を開状態又は閉状態にするための舌片部が設けられている。第２開口部１３および第３開口部１５には、ハトメ飾りが縫製等でアッパーの上部に固着されている。ハトメ飾りの左右縁部には、前後方向に間隔をあけて配置されたハトメ孔が貫通形成されていて、各ハトメ孔に靴紐が挿通されている。靴紐を縛ることにより、足をシューズに固定することができる。本態様では、特に第３開口部１５を設けることによって、踵部を十分に固定することができ、靴と踵のずれがなくなることから、エネルギーを消耗することなく着用者が快適に使用することができる。また、着用者がフィット感をより感じやすくするために、第１開口部１１、第２開口部１３および第３開口部１５を上方に高くすることができる。なお、スポーツシューズに踵を固定する手段として、靴紐とハトメ孔を用いて説明しているが、これを面ファスナーを用いる固定手段に変更することも望ましい。
【００４５】
以上、本発明を好ましい実施形態に基づいて説明したが、本発明は、前記実施形態に限定されるものではなく、本発明の趣旨を逸脱しない範囲で、各実施形態の形状、構成、配置、材料などを適宜変更することができる。また、各実施形態にて示した構成、配置、材料、形状、数値範囲などの規定は、各々独立に、或いは、何れか２以上の規定を組み合わせて適用することができる。
【００４６】
本発明のスポーツシューズには、婦人用のファッション用シューズ（例えば、ハイヒール）は含まれない。
【符号の説明】
【００４７】
Ｓ：スポーツシューズ、１：ソール、３：アッパー、５：足裏当接面、７：地面接地面、９：アッパー後端面、１１：第１開口部、１３：第２開口部、１５：第３開口部
【図１】
2020199110.tif 000003
【図２】
2020199110.tif 000004
【図３】
2020199110.tif 000005
【図４】
2020199110.tif 000006
【図５】
2020199110.tif 000007
【図６】
2020199110.tif 000008
【図７】
2020199110.tif 000009
【図８】
2020199110.tif 000010
【図９】
2020199110.tif 000011